(57)【要約】      （修正有）【課題】人の行動に応じて、その人の必要とする情報を提供することができる照明装置を提供する。【解決手段】照明装置１は、照明用の発光部１３と、所定の情報を取得する制御部１１と、発光部１３の点消灯制御に応じて取得された所定の情報を含む画像を投影する投影部２と、を有する。制御部１１は、カメラで撮像して得られた画像に基づいて判定した動作に応じたコマンド信号、例えば、消し忘れた照明装置の照明を消灯または減光するコマンド信号、を生成してゲートウエイ装置５に送信する。ゲートウエイ装置５は、そのコマンド信号をコマンド信号の示す照明装置などにそのコマンド信号を送信して、照明装置に照明の消灯または減光などを実行させる。人は、遠隔で、消し忘れた照明を消灯または減光したり、施錠したりすることができる。【選択図】図２
2016004723.tif 000002
【特許請求の範囲】
【請求項１】
照明用の発光部と、
所定の情報を取得する情報取得部と、
取得された前記所定の情報を含む画像を前記発光部の点消灯制御に応じて投影する投影部と、
を有する照明装置。
【請求項２】
前記投影部で投影される情報は、時間帯に応じて変更される請求項１に記載の照明装置。
【請求項３】
前記情報を入力する入力部を有する請求項１又は２に記載の照明装置。
【請求項４】
前記情報取得部は、外部機器との通信を行う通信部であり、
前記情報は、前記通信部を介して前記外部機器との通信により取得される請求項１又は２に記載の照明装置。
【請求項５】
前記外部機器は、通信回線を介して前記情報を取得する請求項４に記載の照明装置。
【請求項６】
前記情報は、前記発光部が点消灯制御されるタイミングに応じて取得される請求項１から５に記載の照明装置。
【請求項７】
前記情報は、他の機器の動作状態情報である請求項６に記載の照明装置。
【請求項８】
前記他の機器の動作状態情報は、前記照明装置が設置された場所以外の場所に設置された１以上の電気機器の制御状態の情報を含む請求項７に記載の照明装置。
【請求項９】
前記発光部が点消灯制御されるタイミングは、人の就寝タイミングである請求項１ないし８のいずれか一に記載の照明装置。
【請求項１０】
前記発光部が点消灯制御されるタイミングは、人の外出タイミングである請求項１ないし８のいずれか一に記載の照明装置。
【請求項１１】
前記発光部が点消灯制御されるタイミングは、人の起床タイミングである請求項１ないし１０のいずれか一に記載の照明装置。
【請求項１２】
前記情報は、気象情報と交通情報の少なくとも一方を含む請求項１ないし１１のいずれか一に記載の照明装置。
【請求項１３】
前記情報は、温度センサ又は湿度センサの検出値を含む請求項１ないし１１のいずれか一に記載の照明装置。
【請求項１４】
前記情報は、使用者があらかじめ入力したテキストデータまたは画像データである請求項１ないし１１のいずれか一に記載の照明装置。
【発明の詳細な説明】
【技術分野】
【０００１】
本発明の実施形態は、照明装置に関する。
【背景技術】
【０００２】
近年、投影装置を有する照明装置が提案されている。例えば、投影装置から投影される画像と、画像の雰囲気に合った照明シーンとを連動して制御する制御手段を有し、照明光と影像を合わせた空間演出を可能とする、投影装置付きの照明装置が提案されている。
【０００３】
また、屋外の雰囲気を検出して、空間を最も快適な雰囲気に照明できる調色照明装置も提案されている。  
しかし、人の行動に応じて、投影装置付きの照明装置が人の必要とする情報の提供をすることはできなかった。
【先行技術文献】
【特許文献】
【０００４】
【特許文献１】特開２０１２−１８６１１８号公報
【特許文献２】特許第３２００７４４号公報
【発明の概要】
【発明が解決しようとする課題】
【０００５】
そこで、本実施形態は、人の行動に応じて、その人の必要とする情報の提供をすることができる照明装置を提供することを目的とする。
【課題を解決するための手段】
【０００６】
実施形態の照明装置は、照明用の発光部と、所定の情報を取得する情報取得部と、取得された前記所定の情報含む画像を前記発光部の点消灯制御に応じて投影する投影部と、を有する。
【発明の効果】
【０００７】
本実施形態によれば、人の行動に応じて、その人の必要とする情報の提供をすることができる照明装置を提供することができる。
【図面の簡単な説明】
【０００８】
【図１】実施形態に係わる、投影装置付き照明装置が設置された部屋の配置と、照明装置と他機器との通信関係を説明するための図である。
【図２】実施形態に係わる照明装置１の構成を示すブロック図である。
【発明を実施するための形態】
【０００９】
本実施形態の照明装置は、照明用の発光部と、所定の情報を取得する情報取得部と、取得された前記所定の情報を含む画像を発光部の点消灯制御に応じて投影する投影部と、を有する。
以下、図面を参照して実施形態を説明する。
（構成）
図１は、本実施形態に係わる投影装置付き照明装置が設置された部屋の配置と、照明装置と他機器との通信関係を説明するための図である。
【００１０】
照明装置１は、家の中の各部屋、玄関等の天井、壁等に設置されている。照明装置１は、投影装置である投影部２を備えている。  
投影部２は、投影方向を調整できるように投影方向調整機構を有しており、投影部２は、壁面、床面、天井面等の予め決められた場所に画像を投影するように、画像の投影方向は予め調整されている。
【００１１】
図１では、天井Cに固定された照明装置１の投影部２の投影方向は、部屋Rの１つの壁の領域Wに、投影部２が画像を投影するように調整され設定されている。  
居住者などの人が、リモコン３を操作することにより、照明装置１の照明の点消灯制御ができる。点消灯制御とは、例えば照明のオンとオフの切り替えや、調光度を変えて減光させたり、調光度をあげることをいう。なお、照明の点消灯制御は、照明装置１と信号線を介して接続された壁スイッチ４によっても行うことができる。
【００１２】
複数の照明装置１が家の中に設置されており、各照明装置１は、ゲートウエイ装置５と通信可能に接続されている。  
ゲートウエイ装置５は、さらに、別の照明装置または照明装置以外の他の機器群６とも接続され、各機器の動作状態情報も取得できるように構成されている。他の機器群６は、各部屋のエアコン、炊飯器などの家電機器、玄関の鍵、等であり、ゲートウエイ装置５は、炊飯器のセット状態、エアコンなどの動作状態、玄関のドアの施錠状態、等の情報を取得できるようになっている。
【００１３】
さらに、ゲートウエイ装置５は、通信回線であるインターネット７にも接続可能となっている。  
なお、図１では、ゲートウエイ装置５は、各照明装置１とは独立した装置であるが、複数の照明装置１中の１つに、ゲートウエイ装置５の機能を持たせ、そのゲートウエイ装置５の機能を有する１つの照明装置１が、他の照明装置１等に対する親機として機能して、照明の点消灯制御状態などの情報を取得するようにしてもよい。
【００１４】
図２は、照明装置１の構成を示すブロック図である。照明装置１は、投影部２と、制御部１１と、通信部１２と、照明用の発光部１３と、操作入力部１４とを有して構成されている。
【００１５】
投影部２は、制御部１１の制御の下、制御部１１から送信された画像データを、出射して、壁の所定の領域Wに投影する。投影部２が壁の所定の領域Wに投影する画像の画像データは、制御部１１から投影部２に供給される。
【００１６】
制御部１１は、リモコン３からの点消灯制御操作信号を操作入力部１４を介して受信すると、その点消灯制御操作信号に応じて、発光部１３の制御を行うと共に、予め設定された動作を実行する制御回路を有する。具体的には、所定の情報を取得する動作を実行する。所定の情報は、例えば照明の点消灯制御に応じて制御部が取得するようにしてもよい。この場合には、制御部１１は、発光部１３のオン又はオフに応じて所定の情報を取得する情報取得部を構成する。また、制御部１１は、取得された前記所定の情報を含む画像を照明の点消灯制御に応じて投影する。また、所定の情報は予め設定した時刻に取得してもよいし、一定時間ごとに取得するようにしてもよい。
【００１７】
さらに、制御部１１は、ゲートウエイ装置５からのコマンド信号に応じた処理を実行する。例えば、発光部１３が発光しているか否かの状態、すなわち照明の点消灯制御状態の送信要求コマンド信号を、制御部１１が通信部１２を介してゲートウエイ装置５から受信すると、制御部１１は、照明の点消灯制御状態を示す情報をゲートウエイ装置５へ送信する。また、ゲートウエイ装置５から照明の点消灯制御の制御コマンド信号を受信すると、制御部１１は照明の点消灯制御状態を切り替える。
【００１８】
また、時計回路１１ａが制御部１１に接続されており、制御部１１は、時刻情報を得ることができる。よって、照明装置１は、時計回路１１ａの時刻情報を利用した機能を有している。例えば、設定した時刻に、照明がオンされる等の起床タイマー機能を有する。制御部１１は起床タイマー機能を利用し、起床時刻に合わせて情報を取得するようにすることができる。例えば、起床時刻を６時に設定している場合は、５時５０分にゲートウエィ装置５にアクセスし所定の情報を取得するようにしてもよい。これによって、起床時刻に照明がオンになったタイミングで新しい情報を投影することができる。
【００１９】
通信部１２は、無線通信機能を有し、ゲートウエイ装置５との通信を行う。ゲートウエイ装置５は、インターネット７と接続され、インターネット７を利用して各種情報を取得することができる。例えば、列車等の交通機関の運行情報や天候、気温、湿度等の気象情報等を提供するサーバからインターネットを介して情報を取得することができる。よって、言い換えれば、通信部１２は、外部機器であるゲートウエイ装置５との通信を行う通信回路であり、通信部１２は、外部機器との通信により所定の情報を取得する情報取得部を構成する。
【００２０】
照明用の発光部１３は、複数の発光ダイオード（以下、LEDという）を有し、所定の方向の所定の領域、ここでは、部屋Rを照明する。  
操作入力部１４は、照明装置１を操作するリモコン３からの点消灯制御操作信号を受信して、制御部１１へ出力する回路である。
【００２１】
よって、人は、リモコン３を操作することにより、照明装置１のオンとオフや調光制御等の点消灯制御を行うことができる。さらに、照明装置１は、リモコン３からの照明の点消灯制御操作信号に応じて、投影部２により所定の情報を含む画像を壁の所定の領域Wに投影する。よって、投影部２は、取得された所定の情報含む画像を投影する。
【００２２】
各照明装置１の投影部２により投影されて表示される情報は、設定情報として、各照明装置１の制御部１１に設定される。  
制御部１１は、記憶部を有し、照明装置１の照明の点消灯制御に応じて、投影部２により表示する情報についての設定情報がその記憶部に記憶される。その場合、取得する情報の設定は、リモコン３を利用して各照明装置１に対して行われる。なお、その設定は、予め専用のアプリケーションソフトをインストールしたスマートフォンや通信機能付きの操作端末器、PCタブレット等の汎用の携帯端末器、専用の設定装置等の端末装置を利用して行うようにしてもよい。
【００２３】
なお、各照明装置の投影部２により表示される情報の設定は、ゲートウエイ装置５において行われるようにしてもよい。その場合、設定情報は、例えば、ゲートウエイ装置５の記憶部に、記憶される。
【００２４】
ゲートウエイ装置５が、各照明装置１から情報送信要求コマンド信号として、例えば照明の点消灯制御動作信号を受信した場合、その点消灯制御動作信号に応じて、その照明装置１の設置されている部屋に応じて予め設定されている情報を取得する。さらに、ゲートウエイ装置５は点消灯制御動作信号を送信してきた照明装置１に対しその取得した情報を送信する。
なお、投影部２により表示する情報は、予め使用者が端末装置を使用して設定したテキストデータや画像データであってもよい。例えば、「鍵をかける」「ポットを消す」「○○持っていく」「○○忘れない」などのリマインダーとして文字または画像が投影されるようにしてもよい。この場合、予め表示する情報をゲートウエイ装置５に記憶してもよいし、照明装置１に記憶させておいてもよい。照明装置１に記憶させておくことで、ゲートウエイ装置５または他機器との通信がなくても所定の情報を投影することができる。
【００２５】
上述した照明装置１の動作の例について説明する。  
各照明装置１は、照明装置１に対する照明の点消灯制御に応じて、人の知りたい情報を、投影部２により表示して、人に知らしめることができる。
【００２６】
各照明装置１の投影部２により表示される情報は、家の中に設置された各照明装置１の場所に応じて異なっている。
【００２７】
以下、照明装置１が設置された場所が寝室と玄関である場合を例に、表示される情報の例を説明する。
１）寝室の照明装置
ａ）就寝時
人は、就寝時に、家の中の他の部屋の照明を消したこと、玄関の鍵を施錠したこと、などを確認したい。
【００２８】
そこで、人が寝室の照明装置１の照明を点消灯制御として消灯または減光すると、制御部１１は、照明のオフ、すなわち発光部１３の消灯、を行うと同時に、ゲートウエイ装置５に対して、所定の情報IAを取得して寝室の照明装置１へ送信させるための情報送信要求コマンド信号CAを送信する。情報送信要求コマンド信号CAは、ゲートウエイ装置５が取得すべき所定の情報IAまたはゲートウエイ装置５が照明装置１に送信する必要がある所定の情報IAについての情報を含む。よって、ゲートウエイ装置５は、情報送信要求コマンド信号CAに基づいて、情報送信要求コマンド信号CAを送信した照明装置１が、要求する情報を特定することができる。そして、ゲートウエイ装置５は、予め所定の情報IAを記憶している場合には情報送信要求コマンド信号CAに従って記憶している情報から所定の情報を送信し、所定の情報を外部から入手する必要がある場合には、情報送信要求コマンド信号CAを受信することによって所定の情報を外部から入手する。
【００２９】
所定の情報IAは、家の中の他の場所に設置してある他の照明装置１の点消灯制御状態、玄関などの鍵の施錠状態などの情報であり、照明が消灯または減光されたときに表示する情報である。
ゲートウエイ装置５は、情報送信要求コマンド信号CAを受信すると、他の照明装置１へ照明の点消灯制御状態の情報を送信させるためのコマンド信号CABを送信する。他の照明装置１は、コマンド信号CABを受信すると、照明の点消灯制御状態を示す情報をゲートウエイ装置５へ送信する。
【００３０】
同時に、ゲートウエイ装置５は、玄関の鍵装置へ、鍵の施錠状態情報を送信させるためのコマンド信号CACを送信する。鍵装置は、コマンド信号CACを受信すると、鍵の施錠状態を示す情報をゲートウエイ装置５へ送信する。
【００３１】
ゲートウエイ装置５は、取得した他の照明装置１の点消灯制御状態及び鍵の施錠状態の情報を、情報送信要求コマンドCAを送信した寝室の照明装置１へ送信する。  
寝室の照明装置１の制御部１１は、受信した情報に基づいて、他の照明装置１の点消灯制御状態及び鍵の施錠状態を示す画面の画像データを生成し、投影部２へ出力する。投影部２は、制御部１１から受信した画像データに基づく画像を投影するので、人は、他の部屋の照明の点消灯制御状態及び鍵の施錠状態を、そのときに認識し、確認することができる。
【００３２】
よって、人が寝室の照明装置１の照明を消灯または減光にすると、寝室の照明装置１は、所定の情報として他の部屋の照明の点消灯制御状態などの情報を取得して、取得した情報を投影部２により表示する。その結果、人は、照明の消し忘れ及び鍵の施錠忘れを防止することができる。
【００３３】
投影部２により表示される画像は、所定時間、例えば１０秒、が経過すると、制御部１１は、投影部２への画像信号の出力を停止する。投影部２の画像表示はされなくなる。
【００３４】
なお、照明装置１にカメラ８（図１において点線で示す）を搭載し、かつカメラ８により撮像して得られた画像から、人の動きを検出し、所定の動作、すなわち所定のジェスチャ、を判定し、消し忘れた照明を消灯または減光にするなどの機能を制御部１１に設けるようにしてもよい。
【００３５】
例えば、制御部１１は、カメラ８で撮像して得られた画像に基づいて判定した動作に応じたコマンド信号、例えば、消し忘れた照明装置の照明を消灯または減光するコマンド信号、を生成してゲートウエイ装置５に送信する。ゲートウエイ装置５は、そのコマンド信号をコマンド信号の示す照明装置などにそのコマンド信号を送信して、照明装置に照明の消灯または減光などを実行させる。
【００３６】
このようにすれば、人は、遠隔で、消し忘れた照明を消灯または減光したり、施錠したりすることができる。  
さらになお、寝室の照明装置１は、昼間においても点消灯制御される場合があるので、就寝する時間帯、例えば２２時から２４時の間の時間、を予め設定しておき、その時間帯において、照明が消灯または減光されたときに、上述した投影部２による表示を行うようにしてもよい。
【００３７】
また、複数の照明装置１が、ゲートウエイ装置５を介さずに、互いに直接通信できる機能を有する場合は、寝室の照明装置１は、照明が消灯または減光されたときに、照明の点消灯制御状態を、他の照明装置１へ直接問い合わせて取得するようにしてもよい。鍵装置とも通信可能であれば、照明装置１は、鍵装置から直接施錠状態の情報を取得するようにしてもよい。
【００３８】
以上のように、人が必要とする情報は、発光部１３が消灯または減光されるタイミング、例えば人の就寝タイミング、に応じて投影される。投影される情報は、他の機器の動作状態情報であり、例えば、照明装置１が設置された場所以外の場所に設置された１以上の照明装置１の点消灯制御状態の情報を含む。さらに、人が必要とされる情報は、発光部１３がオフされるタイミング、例えば人の就寝タイミング、に応じて取得されるが、予め照明装置１またはゲートウエイ装置５に記憶された情報であってもよいし、照明装置１またはゲートウエイ装置５が所定時刻、所定時間毎、または機器の状態変化が生じたときと等に収集した情報であってもよい。
ｂ）起床時
人は、起床時に、その日の気象情報、その時の列車の運行情報などを確認したい。
【００３９】
そこで、照明装置１は、起床タイマー機能に基づいて、予め設定された時刻に照明をオンするときに、投影部２により、気象情報などを表示する。寝室の照明装置１は、投影部２により予め設定された時刻に気象情報などを表示するために、ゲートウエイ装置５に対して、所定の情報IBを、照明装置１へ送信させるための情報送信要求コマンド信号CBを送信する。情報送信要求コマンド信号CBも、情報送信要求コマンド信号CAと同様に、ゲートウエイ装置５が取得すべき所定の情報IBについての情報を含む。よって、ゲートウエイ装置５は、情報送信要求コマンド信号CBに基づいて、情報送信要求コマンド信号CBを送信した照明装置１が、要求する情報を特定することができる。  
所定の情報IBは、気象情報、列車の運行情報、道路情報などの最新の情報であり、照明がオンされたときに表示する情報である。
【００４０】
ゲートウエイ装置５は、情報送信要求コマンド信号CBを受信すると、インターネット７を介して所定の１以上のサイトなどへアクセスして、気象情報などを取得する。  
例えば、起床タイマー機能を用いて、人が７時に照明がオンになるように設定しているとき、７時になると、照明がオンすると同時に、投影部２から所定の情報を含む画像が壁の所定の領域Wに投影される。
【００４１】
制御部１１は、設定された時刻である７時になる前に、所定時間前に、例えば数分前または数十秒前に、ゲートウエイ装置５に対して情報送信要求コマンド信号CBを行い、ゲートウエイ装置５に、所定の情報をインターネット７を介して取得させ、寝室の照明装置１へ送信させる。その結果、７時になると、照明装置１の照明がオンになると同時に、投影部２により気象情報などの情報が壁に表示される。
【００４２】
よって、人は、起床時に、必要な情報として、気象情報等が壁の所定の領域Wに表示されるので、便利である。  
なお、列車などの運行情報、道路情報などは、起床タイマー機能で設定されて時刻よりも所定時間前の時から、取得するようにして、悪天候のとき、列車に所定時間以上の遅れがあるとき、所定の距離以上の渋滞があるとき等のときには、設定時刻よりも前に、照明をオンにすると共に、情報を投影部２で表示させるようにしてもよい。
【００４３】
例えば、起床時間が７時に設定されているとき、制御部１１は、設定された時間よりも所定時間前、例えば１時間前、から情報送信要求コマンド信号CBをゲートウエイ装置５へ送信し、運行情報などを取得して早めの時間からチェックする。
【００４４】
また、投影部２により表示する情報は、家の中にある温度センサ、湿度センサなどの情報でもよい。図２において点線で示すように、照明装置１に、インターフェース１５ａを介して温度センサ１５が接続し、制御部１１は、温度センサ１５の検出した温度値を、投影部２により表示する。よって、インターフェース１５ａは、温度の情報を入力する入力部を構成する。
【００４５】
さらに、気象情報は、自宅のある地域の気象情報だけでなく、勤務先の地域の気象情報も取得して表示するようにしてもよい。つまり、少なくとも異なる２つ以上の地域の気象情報を取得して同時に表示するようにしてもよい。  
どの地域の気象情報を取得するか、どの鉄道会社のどの路線の運行情報を取得するか、その道路の渋滞情報を取得するかは、制御部１１に予め設定される。
【００４６】
なお、寝室の照明装置１は、昼間においても点消灯制御される場合があるので、起床する時間帯、例えば６時から８時の間の時間、を予め設定しておき、その時間帯において、照明がオンされるときに、上述した投影部２による表示を行うようにしてもよい。
【００４７】
このようにすれば、人は、起床時に、必要な情報を知ることができる。  
以上のように、寝室の照明装置１の照明の点消灯制御に応じて、投影部２により表示される情報が変更される。
【００４８】
以上のように、人が必要とする情報は、発光部１３が点灯または減光状態から調光度を上げるタイミング、例えば人の起床タイミング、に応じて投影される。また、人が必要とする情報は、発光部１３が点灯または減光状態から調光度を上げるタイミング、例えば人の起床タイミング、に応じて取得さるようにしてもよい。取得される情報は、気象情報と交通情報の少なくとも一方を含む情報、あるいは温度センサ、湿度センサなどの情報を含む。
２）玄関の照明装置
人は、外出時に、各部屋の照明が消灯または減光されていることなどを確認したい、すなわち、電気機器の消し忘れなどを確認したい。
【００４９】
そこで、玄関の照明装置１が消灯または減光されたときに、その照明装置１の投影部２が、家の中の各部屋の照明装置１の点消灯制御状態を表示する。そのために、玄関の照明装置１は、ゲートウエイ装置５に対して、各照明装置１の点消灯制御状態を示す情報ICを、照明装置１へ送信させるための情報送信要求コマンド信号CCを送信する。情報送信要求コマンド信号CCも、情報送信要求コマンド信号CAと同様に、ゲートウエイ装置５が取得すべき所定の情報ICについての情報を含む。
所定の情報ICは、家の中の電気機器を対象にすることができ、例えば全ての照明装置１の点消灯制御状態の情報だけでなく、炊飯器などの家電製品の制御状態の情報を含んでもよい。家電製品の動作状態情報を取得するかは、人により制御部１１に予め設定される。
【００５０】
ゲートウエイ装置５は、情報送信要求コマンド信号CCを受信すると、家の中の他の照明装置１から、点消灯制御状態の情報を取得する。  
よって、外出時に、必要な情報として、各部屋の照明の点消灯制御状態の情報等が壁の所定の領域Wに表示されるので、人は、照明の消し忘れを確認できて便利である。また、家電製品の状態も確認できるようにすれば、例えば、炊飯器、洗濯機などの、オンになっていてもよい機器の状態が、オンであることも確認できる。
【００５１】
投影部２により表示される画像は、所定時間、例えば１０秒、が経過すると表示されなくなるように、制御部１１は、投影部２への画像信号の出力を停止する。  
なお、複数の照明装置１が、互いに直接通信できる機能を有する場合は、玄関の照明装置１は、照明が消灯または減光されたときに、他の照明装置１へ直接問い合わせて点消灯制御状態の情報を取得するようにしてもよい。炊飯器などの家電製品とも通信可能であれば、照明装置１は、家電製品から直接点消灯制御状態の情報を取得するようにしてもよい。
また、予めゲートウエイ装置５が照明装置または家電製品等の電気機器の状態を把握している場合には、情報送信要求コマンド信号CCを受信したときに再度状態確認をすることなくその情報を送信するようにしてもよい。
また、表示する情報は、あらかじめ使用者が端末装置を介して照明装置１またはゲートウエイ装置５に入力し記憶させたテキストデータまたは画像データであってもよい。
【００５２】
さらになお、玄関の照明装置１の投影部２により表示される情報は、時間帯に応じて変更するようにしてもよい。  
以上のように、人が必要とする情報は、発光部１３が消灯または減光されるタイミング、例えば人の外出タイミング、に応じて取得される。取得される情報は、他の機器の動作状態情報であり、例えば、照明装置１が設置された場所以外の場所に設置された１以上の照明装置１の点消灯制御状態の情報を含む。
【００５３】
上述した本実施形態によれば、人の行動に応じて、その人の必要とする情報の提供をすることができる照明装置を提供することができる。  
なお、上述したゲートウエイ装置５は、インターネット等の通信回線と接続してデータを送受信可能なルータであってもよい。
【００５４】
さらになお、上述した実施の形態では、各照明装置１の制御部１１に照明の点消灯制御操作信号が入力されて、各照明装置１が予め設定された情報を取得して、投影部２に情報を含む画像を表示するが、各照明装置１に対する点消灯制御操作信号が、照明装置１を介してゲートウエイ装置５に集中的に入力されるようにしてもよい。
【００５５】
その場合、ゲートウエイ装置５が、照明の点消灯制御操作信号を送信してきた照明装置１に対して、取得した情報を送信する。  
以上のように、上述した実施形態の照明装置によれば、人が必要なときに、必要な情報を表示するので、便利である。
【００５６】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５７】
１  照明装置、２  投影部、３  リモコン、４  壁スイッチ、５  ゲートウエイ装置、６  機器群、７  インターネット、８  カメラ、１１  制御部、１１ａ  時計回路、１２  通信部、１３  発光部、１４  操作入力部、１５  温度センサ、１５ａ  インターフェース。
【図１】
2016004723.tif 000003
【図２】
2016004723.tif 000004